【手続補正書】
【提出日】平成25年9月25日(2013.9.25)
【手続補正１】
【補正対象書類名】明細書
【補正対象項目名】０００８
【補正方法】変更
【補正の内容】
【０００８】
前記課題を解決するために、請求項１に記載のネイルプリント装置は、
指の爪部に対応する爪領域画像を取得する爪領域画像取得手段と、
平面視における前記爪部の幅方向の見かけ寸法を測定する見かけ寸法測定手段と、
前記見かけ寸法測定手段によって測定された前記爪部の幅方向の見かけ寸法に対応する爪実寸幅を取得する爪実寸幅取得手段と、
前記爪実寸幅取得手段により取得された前記爪部の爪実寸幅に対応する爪幅付加画像を生成する爪幅付加画像生成手段と、
前記爪幅付加画像生成手段により生成された前記爪幅付加画像を前記爪領域画像取得手段により取得された前記爪領域画像の左右側部に合成して、合成爪領域画像を生成する合成爪領域画像生成手段と、
前記合成爪領域画像生成手段により合成された前記合成爪領域画像の輪郭をネイルチップシート上に印刷させる印刷制御手段と、
を備えていることを特徴としている。
【手続補正２】
【補正対象書類名】明細書
【補正対象項目名】００１０
【補正方法】変更
【補正の内容】
【００１０】
また、請求項３に記載のネイルプリント装置は、
指の爪部に対応する爪領域画像を取得する爪領域画像取得手段と、
平面視における前記爪部の幅方向の見かけ寸法を測定する見かけ寸法測定手段と、
前記見かけ寸法測定手段により取得された前記爪部の幅方向の見かけ寸法に対応する爪幅付加画像を生成する爪幅付加画像生成手段と、
前記爪幅付加画像生成手段により生成された前記爪幅付加画像を前記爪領域画像取得手段により取得された前記爪領域画像の左右側部に合成して、合成爪領域画像を生成する合成爪領域画像生成手段と、
前記合成爪領域画像生成手段により合成された前記合成爪領域画像の輪郭をネイルチップシート上に印刷させる印刷制御手段と、
を備えていることを特徴としている。
【手続補正３】
【補正対象書類名】明細書
【補正対象項目名】００１５
【補正方法】変更
【補正の内容】
【００１５】
また、請求項８に記載の印刷制御方法は、
指の爪部に対応する爪領域画像を取得する爪領域画像取得ステップと、
平面視における前記爪部の幅方向の見かけ寸法を測定する見かけ寸法測定ステップと、
前記見かけ寸法測定ステップにおいて測定された前記爪部の幅方向の見かけ寸法に対応する爪実寸幅を取得する爪実寸幅取得ステップと、
前記爪実寸幅取得ステップにおいて取得された前記爪部の爪実寸幅に対応する爪幅付加画像を生成する爪幅付加画像生成ステップと、
前記爪幅付加画像生成ステップにおいて生成された前記爪幅付加画像を前記爪領域画像取得ステップにおいて取得された前記爪領域画像の左右側部に合成して、合成爪領域画像を生成する合成爪領域画像生成ステップと、
前記合成爪領域画像生成ステップにおいて合成された前記合成爪領域画像の輪郭をネイルチップシート上に印刷させる印刷制御ステップと、
を含んでいることを特徴としている。
【手続補正４】
【補正対象書類名】特許請求の範囲
【補正対象項目名】全文
【補正方法】変更
【補正の内容】
【特許請求の範囲】
【請求項１】
指の爪部に対応する爪領域画像を取得する爪領域画像取得手段と、
平面視における前記爪部の幅方向の見かけ寸法を測定する見かけ寸法測定手段と、
前記見かけ寸法測定手段によって測定された前記爪部の幅方向の見かけ寸法に対応する爪実寸幅を取得する爪実寸幅取得手段と、
前記爪実寸幅取得手段により取得された前記爪部の爪実寸幅に対応する爪幅付加画像を生成する爪幅付加画像生成手段と、
前記爪幅付加画像生成手段により生成された前記爪幅付加画像を前記爪領域画像取得手段により取得された前記爪領域画像の左右側部に合成して、合成爪領域画像を生成する合成爪領域画像生成手段と、
前記合成爪領域画像生成手段により合成された前記合成爪領域画像の輪郭をネイルチップシート上に印刷させる印刷制御手段と、
を備えていることを特徴とするネイルプリント装置。
【請求項２】
前記爪領域画像取得手段は、複数の指についてそれぞれ爪部に対応する爪領域画像を取得するものであり、
前記見かけ寸法測定手段は、前記各指ごとに平面視における前記爪部の幅方向の見かけ寸法を測定し、
前記爪実寸幅取得手段は、前記見かけ寸法測定手段によって測定された前記各指ごとの前記爪部の見かけ寸法に対応する爪実寸幅を取得し、
前記爪幅付加画像生成手段は、前記爪実寸幅取得手段により取得された前記各指ごとの前記爪部の爪実寸幅に対応する爪幅付加画像を生成し、
前記合成爪領域画像生成手段は、前記各指ごとの爪幅付加画像をそれぞれ前記爪領域画像取得手段により取得された前記各指ごとの前記爪領域画像の左右側部に合成して、前記各指ごとの合成爪領域画像を生成し、
前記印刷制御手段は、前記合成爪領域画像生成手段により合成された前記各指ごとの合成爪領域画像の輪郭をネイルチップシート上に印刷させることを特徴とする請求項１に記載のネイルプリント装置。
【請求項３】
指の爪部に対応する爪領域画像を取得する爪領域画像取得手段と、
平面視における前記爪部の幅方向の見かけ寸法を測定する見かけ寸法測定手段と、
前記見かけ寸法測定手段により取得された前記爪部の幅方向の見かけ寸法に対応する爪幅付加画像を生成する爪幅付加画像生成手段と、
前記爪幅付加画像生成手段により生成された前記爪幅付加画像を前記爪領域画像取得手段により取得された前記爪領域画像の左右側部に合成して、合成爪領域画像を生成する合成爪領域画像生成手段と、
前記合成爪領域画像生成手段により合成された前記合成爪領域画像の輪郭をネイルチップシート上に印刷させる印刷制御手段と、
を備えていることを特徴とするネイルプリント装置。
【請求項４】
前記見かけ寸法測定手段は、前記爪領域画像取得手段により取得された前記爪領域画像に基づいて前記爪部の幅方向の見かけ寸法を測定するものであることを特徴とする請求項１から請求項３のいずれか一項に記載のネイルプリント装置。
【請求項５】
前記爪幅付加画像生成手段は、前記爪部の爪実寸幅に前記爪部の長さ方向の寸法をも加味して前記爪幅付加画像を生成することを特徴とする請求項１から請求項４のいずれか一項に記載のネイルプリント装置。
【請求項６】
前記爪部の表面領域画像を取得する表面領域画像取得手段と、
この表面領域画像取得手段により取得された前記爪部の表面領域画像の輪郭をネイルチップシート上に印刷させる印刷制御手段と、
を備えていることを特徴とするネイルプリント装置。
【請求項７】
印刷しようとするデザイン画像を指定するデザイン指定手段をさらに備え、
前記印刷制御手段は、前記デザイン指定手段により指定されたデザイン画像と前記合成爪領域画像生成手段によって生成された前記合成爪領域画像の輪郭とをネイルチップシート上に印刷させるものであることを特徴とする請求項１から請求項６のいずれか一項に記載のネイルプリント装置。
【請求項８】
指の爪部に対応する爪領域画像を取得する爪領域画像取得ステップと、
平面視における前記爪部の幅方向の見かけ寸法を測定する見かけ寸法測定ステップと、
前記見かけ寸法測定ステップにおいて測定された前記爪部の幅方向の見かけ寸法に対応する爪実寸幅を取得する爪実寸幅取得ステップと、
前記爪実寸幅取得ステップにおいて取得された前記爪部の爪実寸幅に対応する爪幅付加画像を生成する爪幅付加画像生成ステップと、
前記爪幅付加画像生成ステップにおいて生成された前記爪幅付加画像を前記爪領域画像取得ステップにおいて取得された前記爪領域画像の左右側部に合成して、合成爪領域画像を生成する合成爪領域画像生成ステップと、
前記合成爪領域画像生成ステップにおいて合成された前記合成爪領域画像の輪郭をネイルチップシート上に印刷させる印刷制御ステップと、
を含んでいることを特徴とする印刷制御方法。